(57)【要約】【構成】平坦なＵ字状に構成し、ハンドル部１を設けたベース部を有し、Ｕ字部の両側遠位部位に、楕円形孔３を形成し、ハンドル部１を挿入する矩形の孔６および印象用トレーを安定化する２つの内側案内部７を設けた前庭円弧部２３を形成し、上記ハンドル部用孔のすぐ上にペンチ用のフック部８を形成し、この前庭円弧部を上記ハンドル部用孔６に嵌合したことを特徴とするモジュール式印象用トレーである。【選択図】図１
2007511271.tif 000002
【特許請求の範囲】
【請求項１】
平坦なＵ字状に構成し、ハンドル部１を設けたベース部を有し、Ｕ字部の両側遠位部位に、楕円形孔３を形成し、ハンドル部１を挿入する矩形の孔６および印象用トレーを安定化する２つの内側案内部７を設けた前庭円弧部２３を形成し、上記ハンドル部用孔のすぐ上にペンチ用のフック部８を形成し、この前庭円弧部を上記ハンドル部用孔６に嵌合したことを特徴とするモジュール式印象用トレー。
【請求項２】
上記ベース部を上顎ベース部として使用する場合に、このベース部が内側隆起部２（口蓋用隆起部）を有する請求項１記載のモジュール式印象用トレー。
【請求項３】
上記ベース部を下顎ベース部として使用する場合に、このベースが舌を受け取るスペースをもつ請求項１記載のモジュール式印象用トレー。
【請求項４】
２つの半円弧部、即ち右半円弧部および左半円弧部で上記前庭円弧部を構成した請求項１〜３のいずれかに記載のモジュール式印象用トレー。
【請求項５】
右半円弧部および左半円弧部が完全な円弧部になり、両側遠位部位において、２つの楕円形ピボット１２（茎部が円形で頭部が楕円形のマッシュルーム形状）および２つのロック作用翼部１３をフロント部分に形成した請求項４記載のモジュール式印象用トレー。
【請求項６】
上記二つの半円弧部によってモジュール式印象用トレーを組み立てるさいに、ベース部の楕円形孔３に楕円形ピボット１２を挿入し、近心部位を結合し、半円弧ロッカー１４，１５をロック作用翼部１３にすべり係合する請求項４または５記載のモジュール式印象用トレー。
【請求項７】
モジュール式印象用トレーの分解を容易にするため、ハンマー２０、一対のペンチ２１およびねじ抜き２２を使用する請求項４、５または６記載のジュラー式印象用トレー。
【発明の詳細な説明】
【技術分野】
【０００１】
本発明は、モジュール式印象用トレーに関する。
【背景技術】
【０００２】
患者口腔の模型を取るさいには、印象を取って、固定式歯科補綴物、可動式歯科補綴物や歯列矯正用歯科補綴物その他の歯科補綴物を作る必要がある。歯科医の技量を決定するのは、採取した印象の完全性である。
【０００３】
最終的な印象の流れは、トレー、印象材および石膏模型によって得られる。
【０００４】
印象用トレー（スプーン）は、印象材を容れた金属製またはプラスチック製の器具である。
【０００５】
印象用トレーによって印象材を患者の口腔に適用すると、患者の歯および口腔粘膜のネガティブコピーを得ることができる。
【０００６】
石膏模型は、患者の歯および粘膜の正確なコピーであり、印象材に流し込まれた液体石膏の硬化によって得ることができる。
【発明の開示】
【発明が解決しようとする課題】
【０００７】
印象材から“石膏模型”を取り出すさいには、“印象用トレー”の硬度特性や“印象材”の不十分な弾性あるいは弾性の完全な欠如によって石膏模型が壊れる恐れがあり、この壊れるもう一つの原因は、石膏模型自体の性質である（即ち、非常に硬く壊れやすい性質で、形状からみて歯が分離し、歯が長くおよび／または薄くなることが多い）。
【０００８】
“印象材トレー”から石膏模型を取り出すさいにこれが壊れると、歯科医にとって問題が発生するが、この問題の解決方法はせいぜい二つしかない。即ち、壊れた部分を接着する方法（作業精度が落ちる可能性がある）および、患者を呼び出し、再度患者の印象を採取する方法の二つである。いずれの方法も、時間の浪費、材料の無駄使い、再び壊れる恐れという問題がある。
【０００９】
これらの場合にはいずれにせよ、深刻な問題、即ち患者の評判によって歯科医の技量が問われる問題が発生する。
【００１０】
図１に示した最初の印象用トレー（硬いストックまたはスプーン）は１８２０年にＤＥＬＡ  ＢＡＲＲＥe  ＭＡＵＲＹによって発明され、現在にいたるまで木材、スズ、鉛、鋼やアルミニウムを材料として一体的に構成されている。ある点から見た場合、口腔寸法の変化のみを対象としているため、異なる形の歯に対処することができない。
【発明を実施するための最良の形態】
【００１１】
本発明は、ベース部と円弧部（２つの半円弧部）からなるモジュール式印象用トレーに関する。“上側ベース部”が上顎歯の印象を取り、そして“下側ベース部”が下顎歯の印象を取る部材である。図２に示すように、“上側ベース部”については、ほぼ平坦に形成して完全なＵ字状に構成し、ここにハンドル部１を設けるとともに、内側隆起部２（口蓋用隆起部）を形成する。また、両側末端部に、半円弧部を受け取る“楕円形孔”３を形成し、そしてハンドル部の中央に、ベース部からの円弧部の取り外しを容易にする矩形孔４を形成する。
【００１２】
図３に示す“下側ベース部”は上側ベース部と同じ構成であるが、口蓋用隆起部の代わりに、舌を受け取るための十分なスペースと、印象材の歯および粘膜に対する接着力を強化する内側翼部５（舌翼部）を形成する。
【００１３】
（口腔の前庭部位にある歯を取り巻く）図４に示す前庭円弧部２３の中央下部に矩形の“ハンドル部用孔６”を形成し、ここに“ベース部のハンドル部１”を通すように構成する。この円弧部には、さらに、２つの“内側案内部７”を設け、印象用トレーを安定化する。また、ハンドル部用孔のすぐ上にペンチ用の“フック部８”を形成する。印象用トレーを組み立てるさいには、“ハンドル部用孔６”および“内側案内部７”を利用して、前庭円弧部およびベース部を組み立てる。図４および図５を参照。
【００１４】
ベース部および円弧部がモジュールを形成し、本発明では、これらが特徴のあるトレーになる。即ち、遠位部位では、図５Ｃに示す円弧の最終部分の幅が、図５Ｃに示す遠位部１０の幅よりも狭い。
【００１５】
図６に示す右半円弧部および左半円弧部１１が完全な円弧部になり、それぞれ２つの“楕円形ピボット１２”（頭部が楕円形のマッシュルーム形状）および２つの“ロック作用翼部１３”をフロント部分に形成する。
【００１６】
２つの半円弧部で印象用トレーを形成するさいには、図７ＡＢに示すように、ベース部の“楕円形孔３”に“楕円形ピボット１２”を挿入し、図７ＢＣに示すように、“近心端部”を結合し、そして最後に、図７ＣＤに示すように、“半円弧ロッカー１４、１５”を“ロック作用翼部１３”にすべり結合する。
【００１７】
印象材の接着性を強化するために、上記ベース部、円弧部または半円弧部を多孔化してもよい。
【００１８】
本発明のもう一つの特徴は、半円弧部を使用するさいに、“ロック作用翼部”１３に係合する“半円弧ロッカー１４〜１５”を選択することである。これによって作業が簡単になり、作業速度も速くなる。具体的には、図７Ｃに示す垂直挿入体１４であり、水平挿入体１５である。これら半円弧ロッカー１４〜１５を使用すると、半円弧部を利用できる。
【００１９】
なお、図８に示すように、異なるサイズ（１６、１７、１８、１９）のベース部および前庭円弧部を用意しておくと、異なる患者の口腔に対処できる。
【００２０】
このように、本発明のモジュール式トレーの場合印象材から簡単に取り出せるため、石膏模型が壊れることを防止でき、石膏模型からの印象材の分離がきわめて簡単になる上に、予期しない不具合を生じることもない。本発明のモジュール式トレーの場合、すでに説明した従来の印象用トレーの問題は発生しない。
【００２１】
本発明のモジュール式トレーは、ハンマー２０、ペンチ２１およびねじ抜き２２を使用して、解体できる。図８を参照。
【００２２】
本発明のモジュール式トレーは、洗浄殺菌も簡単である。
【図面の簡単な説明】
【００２３】
【図１】従来のモジュール式印象用トレーを示す概略図である。
【図２】上顎ベース部を示す図である。
【図３】下顎ベース部を示す図である。
【図４】前庭円弧部を示す図である。
【図５】本発明のモジュール式印象用トレーの分解斜視図である。
【図６】右半円弧部および左半円弧部を示す図である。
【図７】本発明のモジュール式印象用トレーの分解斜視図である。
【図８】本発明のモジュール式印象用トレーに使用するハンマーなどを示す図である。
【符号の説明】
【００２４】
１：ハンドル部、
３：楕円形孔、
６：ハンドル用孔、
７：内側案内部、
８：ペンチ用孔、
１２：楕円形孔、
１３：ロック作用翼部、
２３：前庭円弧部
２０：ハンマー、
２１：ペンチ、
２２：ねじ抜き。
【図１】
2007511271.tif 000003
【図２】
2007511271.tif 000004
【図３】
2007511271.tif 000005
【図４】
2007511271.tif 000006
【図５】
2007511271.tif 000007
【図６】
2007511271.tif 000008
【図７】
2007511271.tif 000009
【図８】
2007511271.tif 000010
【国際調査報告】
2007511271.tif 000011
2007511271.tif 000012
2007511271.tif 000013